(57)【要約】【課題】低速シャッター時、バルブタイム使用時、あるいはミラーアップ使用時等の場合に消費電力を小さくすることができるフォーカルプレーンシャッター装置を提供すること。【解決手段】フォーカルプレーンシャッター装置１は、第１シャッター幕２と、第２シャッター幕３と、第１シャッター幕２を駆動する第１シャッター幕駆動手段４と、第２シャッター幕３を駆動する第２シャッター幕駆動手段５と、撮影画面を規定する開口７が形成されているシャッター台板６とを備える。第１シャッター幕駆動手段４は第１シャッター幕駆動モーター４１を備え、第２シャッター幕駆動手段５は第２シャッター幕駆動モーター５１を備え、まず第１シャッター幕駆動モーター４１が起動して第１シャッター幕２が走行し、その後、第２シャッター幕駆動モーター５１が起動して第２シャッター幕３が走行することにより、露光を行う。【選択図】図１
2006153988.tif 000002
【特許請求の範囲】
【請求項１】
撮影画面に対応する開口を有するシャッター台板と、
複数枚の羽根をそれらが平行移動するように支持してなり、それらの羽根の移動により前記開口を開放および閉鎖可能な第１シャッター幕と、
前記開口を介して前記第１シャッター幕と反対側に設置され、複数枚の羽根をそれらが平行移動するように支持してなり、それらの羽根の移動により前記開口を開放および閉鎖可能な第２シャッター幕と、
両方向に回転可能な第１シャッター幕駆動モーターを有し、該第１シャッター幕駆動モーターを所定方向に回転駆動することにより前記第１シャッター幕を閉じさせ、前記所定方向と逆方向に回転駆動することにより前記第１シャッター幕を開かせる第１シャッター幕駆動手段と、
両方向に回転可能な第２シャッター幕駆動モーターを有し、該第２シャッター幕駆動モーターを所定方向に回転駆動することにより前記第２シャッター幕を閉じさせ、前記所定方向と逆方向に回転駆動することにより前記第２シャッター幕を開かせる第２シャッター幕駆動手段とを備え、
露光開始前には、前記第１シャッター幕が前記開口を閉鎖しており前記第２シャッター幕が前記開口を開放している第１の状態と、前記第１シャッター幕が前記開口を開放しており前記第２シャッター幕が前記開口を閉鎖している第２の状態とのいずれか一方の状態になっており、
前記第１の状態から露光を行う際には、前記第１シャッター幕が前記開口を開放するように前記第１シャッター幕駆動モーターを作動し、次いで、前記第２シャッター幕が前記開口を閉鎖するように前記第２シャッター幕駆動モーターを作動することにより、露光を行い、
前記第２の状態から露光を行う際には、前記第２シャッター幕が前記開口を開放するように前記第２シャッター幕駆動モーターを作動し、次いで、前記第１シャッター幕が前記開口を閉鎖するように前記第１シャッター幕駆動モーターを作動することにより、露光を行うことを特徴とするフォーカルプレーンシャッター装置。
【請求項２】
前記第１の状態から露光を行った次の回に露光を行う際には、前記第２の状態から露光を行い、前記第２の状態から露光を行った次の回に露光を行う際には、前記第１の状態から露光を行う請求項１に記載のフォーカルプレーンシャッター装置。
【発明の詳細な説明】
【技術分野】
【０００１】
本発明は、フォーカルプレーンシャッター装置に関する。
【背景技術】
【０００２】
従来のフォーカルプレーンシャッター装置は、第１シャッター幕および第２シャッター幕がバネの付勢力により夫々駆動され、第１シャッター幕と第２シャッター幕とが平行リンク運動を行い、スリットを形成する。
【０００３】
この従来のフォーカルプレーンシャッター装置においては、第１シャッター幕および第２シャッター幕をバネの付勢力に抗して移動させ、第１シャッター幕および第２シャッター幕がバネによって付勢されている状態で、保持部材としての消磁式の電磁石に通電し、第１シャッター幕および第２シャッター幕を各電磁石に吸着させる。これにより、第１シャッター幕および第２シャッター幕の駆動力が蓄積される。そして、ユーザーのレリーズスイッチ操作に応じて第１シャッター幕に対応する電磁石の通電を切り、第１シャッター幕が電磁石の吸着力から開放されてバネの付勢力によって駆動され、次いで、第２シャッター幕に対応する電磁石の通電を切り、第２シャッター幕が開放されてバネの付勢力によって駆動させて、第１シャッター幕と第２シャッター幕とが順次走行することにより、露光を行う（例えば、特許文献１参照）。
【０００４】
このような従来のフォーカルプレーンシャッター装置においては、ユーザーのレリーズ操作から第１シャッター幕および第２シャッター幕を開放するまでの遅れ時間を短くすることができ、安定した高速シャッター性能を得ることができるという利点がある。
【０００５】
【特許文献１】特許第３５１９５０２号公報
【発明の開示】
【発明が解決しようとする課題】
【０００６】
しかしながら、従来のフォーカルプレーンシャッター装置の構造は、高速シャッター性能を得るためには有利なものであるが、低速シャッター時（長秒時シャッター）のとき、あるいはバルブタイム使用時やミラーアップ使用時には、電磁石を通電状態に保持する必要があり、第１シャッター幕または第２シャッター幕を開放するまで電磁石が通電状態に維持されるため、消費電力が大きくなるという欠点があった。
【０００７】
本発明は、上記欠点を解決することを目的として、低速シャッター時、バルブタイム使用時、あるいはミラーアップ使用時等の場合に消費電力を小さくすることができるフォーカルプレーンシャッター装置を提供することを目的とするものである。
【課題を解決するための手段】
【０００８】
このような目的は、下記（１）〜（２）の本発明によって達成される。
（１）  撮影画面に対応する開口を有するシャッター台板と、
複数枚の羽根をそれらが平行移動するように支持してなり、それらの羽根の移動により前記開口を開放および閉鎖可能な第１シャッター幕と、
前記開口を介して前記第１シャッター幕と反対側に設置され、複数枚の羽根をそれらが平行移動するように支持してなり、それらの羽根の移動により前記開口を開放および閉鎖可能な第２シャッター幕と、
両方向に回転可能な第１シャッター幕駆動モーターを有し、該第１シャッター幕駆動モーターを所定方向に回転駆動することにより前記第１シャッター幕を閉じさせ、前記所定方向と逆方向に回転駆動することにより前記第１シャッター幕を開かせる第１シャッター幕駆動手段と、
両方向に回転可能な第２シャッター幕駆動モーターを有し、該第２シャッター幕駆動モーターを所定方向に回転駆動することにより前記第２シャッター幕を閉じさせ、前記所定方向と逆方向に回転駆動することにより前記第２シャッター幕を開かせる第２シャッター幕駆動手段とを備え、
露光開始前には、前記第１シャッター幕が前記開口を閉鎖しており前記第２シャッター幕が前記開口を開放している第１の状態と、前記第１シャッター幕が前記開口を開放しており前記第２シャッター幕が前記開口を閉鎖している第２の状態とのいずれか一方の状態になっており、
前記第１の状態から露光を行う際には、前記第１シャッター幕が前記開口を開放するように前記第１シャッター幕駆動モーターを作動し、次いで、前記第２シャッター幕が前記開口を閉鎖するように前記第２シャッター幕駆動モーターを作動することにより、露光を行い、
前記第２の状態から露光を行う際には、前記第２シャッター幕が前記開口を開放するように前記第２シャッター幕駆動モーターを作動し、次いで、前記第１シャッター幕が前記開口を閉鎖するように前記第１シャッター幕駆動モーターを作動することにより、露光を行うことを特徴とするフォーカルプレーンシャッター装置。
【０００９】
このようなフォーカルプレーンシャッター装置によれば、第１シャッター幕駆動モーターおよび第２シャッター幕駆動モーターにより第１シャッター幕および第２シャッター幕を夫々走行させるので、従来のシャッター装置と異なり、第１シャッター幕または第２シャッター幕を走行させる前にそれらを保持する電磁石に通電し続ける必要がないので、低消費電力で作動することができる。特に、低速シャッター時（特に長秒時）や、バルブタイム使用時、あるいはミラーアップ使用時には、大幅に消費電力を低減することができる。
【００１０】
（２）  前記第１の状態から露光を行った次の回に露光を行う際には、前記第２の状態から露光を行い、前記第２の状態から露光を行った次の回に露光を行う際には、前記第１の状態から露光を行う上記（１）に記載のフォーカルプレーンシャッター装置。
【００１１】
これにより、撮影と撮影との間のシャッターのチャージ動作がなく、作動が効率的となり、消費電力のさらなる低減が図れる。
【発明の効果】
【００１２】
本発明によれば、第１シャッター幕駆動モーターおよび第２シャッター幕駆動モーターにより第１シャッター幕および第２シャッター幕を夫々走行させるので、従来のシャッター装置と異なり、第１シャッター幕または第２シャッター幕を走行させる前にそれらを保持する電磁石に通電し続ける必要がないので、低消費電力で作動することができる。特に、低速シャッター時（特に長秒時）や、バルブタイム使用時、あるいはミラーアップ使用時には、大幅に消費電力を低減することができる。
【発明を実施するための最良の形態】
【００１３】
以下、本発明のフォーカルプレーンシャッター装置を添付図面に示す好適な実施形態に基づいて詳細に説明する。
【００１４】
図１は、本発明のフォーカルプレーンシャッター装置の実施形態を示す斜視図、図２ないし図４は、それぞれ、図１に示すフォーカルプレーンシャッター装置の正面図である。
【００１５】
これらの図に示すフォーカルプレーンシャッター装置１（以下、シャッター装置１と称する。）は、第１シャッター幕２と、第２シャッター幕３と、第１シャッター幕２を駆動する第１シャッター幕駆動手段４と、第２シャッター幕３を駆動する第２シャッター幕駆動手段５と、撮影画面を規定する矩形の開口７が形成されているシャッター台板６とを備える。
【００１６】
シャッター台板６には、第１シャッター幕２、第２シャッター幕３、第１シャッター幕駆動手段４、および第２シャッター幕駆動手段５が取り付けられており、第１シャッター幕駆動手段４が第１シャッター幕２を駆動することにより、または第２シャッター幕駆動手段５が第２シャッター幕３を駆動することにより、開口７を開閉する。また、シャッター装置１は、シャッター台板６が図示しないカメラ本体に固定されることにより、カメラ本体に取り付けられている。
【００１７】
図２は、第１シャッター幕２がシャッター台板６の開口７を閉鎖し、第２シャッター幕３が開口７を開放した状態を示す図である。
【００１８】
図２に示すように、第１シャッター幕２は、５枚の羽根２１、２２、２３、２４、２５と、第１シャッター幕作動レバー２６と、平行リンクレバー２７とから構成されている。羽根２１、２２、２３、２４、２５の基端部は、ピン２１ａ、２２ａ、２３ａ、２４ａ、２５ａを介して第１シャッター幕作動レバー２６に夫々回動自在に取り付けられていると共に、ピン２１ｂ、２２ｂ、２３ｂ、２４ｂ、２５ｂを介して平行リンクレバー２７に夫々回転自在に取り付けられている。
【００１９】
第１シャッター幕作動レバー２６および平行リンクレバー２７の基端部は、シャッター台板６の背面側にピン２６ａおよびピン２７ａを介して夫々回動自在に支持されており、第１シャッター幕作動レバー２６が第１シャッター幕駆動手段４により回動されることにより、５枚の羽根２１、２２、２３、２４、２５は、広がった状態（図２参照）と重なった状態（図３参照）とに変化する。平行リンクレバー２７は、第１シャッター幕作動レバー２６の回動に伴って移動する羽根２１、２２、２３、２４、２５の動きを規定しており、羽根２１、２２、２３、２４、２５が互いに平行移動するようにしている。
【００２０】
また、第１シャッター幕駆動レバー２６は、その基端部近傍に第１シャッター幕駆動手段４からの駆動力を伝達するための係合ピン２６ｂが設けられている。係合ピン２６ｂは、シャッター台板６に形成されている長穴２６ｃ内に収容されている。
【００２１】
図４は、第１シャッター幕２がシャッター台板６の開口７を開放し、第２シャッター幕３が開口７を閉鎖した状態を示す図である。
【００２２】
図４に示すように、第２シャッター幕３は、５枚の羽根３１、３２、３３、３４、３５と、第２シャッター幕作動レバー３６と、平行リンクレバー３７とから構成されている。第２シャッター幕３は、上述の第１シャッター幕２に対して上下方向（羽根の移動方向）に対象な構造であるので、その構造の詳細な説明は省略する。
【００２３】
第１シャッター幕駆動手段４は、図１に示すように、第１シャッター幕駆動モーター４１と、第１シャッター幕駆動モーター４１の駆動軸に取り付けられているピニオンギア４２と、ピニオンギア４２と噛合うアイドルギア４３とから構成されている。
【００２４】
第１シャッター幕駆動モーター４１は、シャッター台板６の表面に取り付けられているモーター台板６１の表面に取り付けられており、第１シャッター幕駆動モーター４１の駆動軸が回動可能にシャッター台板６を貫挿している。ピニオンギア４２は、モーター台板６１の背面側に取り付けられている。
【００２５】
アイドルギア４３は、シャッター台板６とモーター台板６１との間で、ピニオンギア４２と噛合う位置に回転自在に軸支されている。また、アイドルギア４３は、シャッター台板６に形成された長穴２６ｃ内に収容されている係合ピン２６ｂを介して第１シャッター幕作動レバー２６と接続されており、ピニオンギア４２を介して伝達される第１シャッター幕駆動モーター４１の駆動力を係合ピン２６ｂを介して第１シャッター幕駆動レバー２６に伝達し、これにより第１シャッター幕駆動レバー２６が回動される。
【００２６】
第２シャッター幕駆動手段５は、図１に示すように、第２シャッター幕駆動モーター５１と、第２シャッター幕駆動モーター５１の駆動軸に取り付けられているピニオンギア５２と、ピニオンギア５２と噛合うアイドルギア５３とから構成されている。第２シャッター幕駆動手段５は、上述の第１シャッター幕駆動手段４に対して上下方向に対称な構造であるので、その構造の詳細な説明は省略する。
【００２７】
また、シャッター台板６の背面側には、第１シャッター幕２および第２シャッター幕３を収容可能に形成されたシャッターカバー６２およびシャッターカバー６３が取り付けられており、第１シャッター幕２および第２シャッター幕３が閉じた状態で、シャッターカバー６２およびシャッターカバー６３内に夫々収容される。なお、シャッターカバー６２とシャッターカバー６３とは、一体的に形成されていてもよいし、別部材で構成されていてもよい。
【００２８】
図５は、シャッター装置１のブロック図である。図５に示すように、シャッター装置１は、第１シャッター幕駆動モーター４１および第２シャッター幕駆動モーター５１を制御する制御部８を備えている。制御部８は、通常は、シャッター装置１が搭載されるカメラのＣＰＵと兼用される。
【００２９】
以下、上述のシャッター装置１の動作について説明する。
シャッター装置１は、レリーズスイッチ操作待ち状態（露光開始前の状態）においては、図２に示すように、第１シャッター幕２が羽根２１、２２、２３、２４、２５を広げてシャッター台板６の開口７を閉鎖しており、第２シャッター幕３が羽根３１、３２、３３、３４、３５を重ねてシャッターカバー６３内に収容されている第１の状態（以下、「上待機状態」と称する）であるか、または図４に示すように、第２シャッター幕３が羽根３１、３２、３３、３４、３５を広げて開口７を閉鎖しており、第１シャッター幕２が羽根２１、２２、２３、２４、２５を重ねてシャッターカバー６２内に収容されている第２の状態（以下、「下待機状態」と称する）である。
【００３０】
シャッター装置１は、図２に示す上待機状態において、ユーザーにより図示しないカメラのレリーズスイッチがＯＮ状態にされると、第１シャッター幕駆動モーター４１が起動して駆動軸が図中で反時計回りに回転し、第１シャッター幕作動レバー２６が時計周りに回動されて、羽根２１、２２、２３、２４、２５が図中で下方に平行移動しながら互いに重なり合っていく。羽根２１、２２、２３、２４、２５が下方に平行移動しながら互いに重なり合っていくと、羽根２１の上方においてシャッター台板６の開口７が開放されていく。羽根２１、２２、２３、２４、２５が互いに重なり合って第１シャッター幕２がシャッターカバー６２内に収容されると（図３参照）、第１シャッター幕駆動モーター４１は停止し、第１シャッター幕作動レバー２６の回動が終了する。
【００３１】
一方、第２シャッター幕駆動モーター５１は、上述のようにレリーズスイッチがＯＮ状態にされて第１シャッター幕駆動モーター４１が起動してから所定時間経過後に起動し、駆動軸が図中で反時計回りに回転して、第２シャッター幕作動レバー３６を時計回りに回動する。第２シャッター幕３は、第２シャッター幕作動レバー３６が回動されると、上述の第１シャッター幕２とは反対に、羽根３１、３２、３３、３４、３５が図中で下方に平行移動しながら広がっていき、羽根３１の下方においてシャッター台板６の開口７が閉鎖されていく。羽根３１、３２、３３、３４、３５が完全に広がると（図４参照）、第２シャッター幕駆動モーター５１は停止し、第２シャッター幕作動レバー３６の回動が終了する。このとき開口７は、第２シャッター幕３によって完全に閉鎖されている。また、シャッター装置１は下待機状態となる。
【００３２】
上述のように、上待機状態においてレリーズスイッチがＯＮ状態になると、まず第１シャッター幕駆動モーター４１が起動して第１シャッター幕２が走行し、所定時間経過後に第２シャッター幕駆動モーター５１が起動して第２シャッター幕３が走行することにより、露光を行う。
【００３３】
また、シャッター装置１は、図４に示す下待機状態において、レリーズスイッチがＯＮ状態にされると、上述の上待機状態の場合とは反対に、第２シャッター幕駆動モーター５１が起動して駆動軸が時計回りに回転し、第２シャッター幕作動レバー３６が反時計周りに回動されて、羽根３１、３２、３３、３４、３５が上方に平行移動しながら互いに重なり合っていく。羽根３１、３２、３３、３４、３５が上方に平行移動しながら互いに重なり合っていくと、羽根３１の下方においてシャッター台板６の開口７が開放されていく。羽根３１、３２、３３、３４、３５が互いに重なり合って第２シャッター幕３がシャッターカバー６３内に収容されると（図３参照）、第２シャッター幕駆動モーター５１は停止し、第２シャッター幕作動レバー３６の回動が終了する。
【００３４】
一方、第１シャッター幕駆動モーター４１は、上述のようにレリーズスイッチがＯＮ状態にされて第２シャッター幕駆動モーター５１が起動してから所定時間経過後に起動し、駆動軸が時計回りに回転して、第１シャッター幕作動レバー２６を反時計回りに回動する。第１シャッター幕２は、第１シャッター幕作動レバー２６が回動されると、上述の第２シャッター幕３とは反対に、羽根２１、２２、２３、２４、２５が上方に平行移動しながら広がっていき、羽根２１の上方においてシャッター台板６の開口７が閉鎖されていく。羽根２１、２２、２３、２４、２５が完全に広がると（図２参照）、第１シャッター幕駆動モーター４１は停止し、第１シャッター幕作動レバー２６の回動が終了する。このとき開口７は、第１シャッター幕２によって完全に閉鎖されている。また、シャッター装置１は上待機状態となる。
【００３５】
上述のように、本シャッター装置１においては、第１シャッター幕駆動モーター４１および第２シャッター幕駆動モーター５１を時計回りおよび反時計回りに回転させることにより、２コマの撮影が可能になる。
【００３６】
このような本シャッター装置１によれば、第１シャッター幕駆動モーター４１および第２シャッター幕駆動モーター５１により第１シャッター幕２および第２シャッター幕３を夫々走行させるので、従来のシャッター装置と異なり、第１シャッター幕２または第２シャッター幕３を走行させる前にそれらを保持する電磁石に通電し続ける必要がないので、低消費電力で作動することができる。特に、低速シャッター時（特に長秒時）や、バルブタイム使用時、あるいはミラーアップ使用時には、大幅に消費電力を低減することができる。
【００３７】
図６は、シャッター装置１の通常撮影時のタイムシーケンス図である。以下、図６に基づいて、シャッター装置１が下待機状態にあるときから２コマの通常撮影を行う際の動作について説明する。
【００３８】
シャッター装置１が下待機状態において、カメラのレリーズスイッチがＯＮ状態にされると、カメラの図示しないミラー制御モーターが起動して逆回転し、ミラーが下から上へ移動する。ミラーが上まで移動すると第２シャッター幕駆動モーター５１が起動して回転（正転）し、第２シャッター幕３の各羽根３１、３２、３３、３４、３５が上方へ移動する。これにより、シャッター台板６の開口７が開放されていく。羽根３１、３２、３３、３４、３５がシャッターカバー６３内に収容されると、第２シャッター幕駆動モーター５１が停止する。
【００３９】
第２シャッター幕駆動モーター５１の起動から所定時間経過後、第１シャッター幕駆動モーター４１が起動して回転（正転）し、第１シャッター幕２の各羽根２１、２２、２３、２４、２５が上方へ移動する。これにより、シャッター台板６の開口７が閉鎖されていく。羽根２１、２２、２３、２４、２５が完全に開き、開口７が完全に閉鎖されると、第１シャッター幕駆動モーター４１が停止する。このとき、シャッター装置１は上待機状態となる。
【００４０】
次いで、ミラー制御モーターが起動して正回転し、ミラーが上から下へ移動する。また、これと同時に図示しない巻上スイッチがＯＮ状態となる。ミラーが下まで移動するとミラー制御モーターが停止すると共に、巻上スイッチがＯＦＦ状態となる。これにより、一連の撮影動作が終了する。
【００４１】
上述の動作によりシャッター装置１が上待機状態になった後、再度レリーズスイッチがＯＮ状態となると、ミラー制御モーターが起動して逆回転し、ミラーが下から上へ移動する。ミラーが上まで移動すると第１シャッター幕駆動モーター４１が起動して回転（逆転）し、第１シャッター幕２の各羽根２１、２２、２３、２４、２５が下方へ移動する。これにより、シャッター台板６の開口７が開放されていく。羽根２１、２２、２３、２４、２５がシャッターカバー６２内に収容されると、第１シャッター幕駆動モーター４１が停止する。
【００４２】
第１シャッター幕駆動モーター４１の起動から所定時間経過後、第２シャッター幕駆動モーター５１が起動して回転（逆転）し、第２シャッター幕３の各羽根３１、３２、３３、３４、３５が下方へ移動する。これにより、シャッター台板６の開口７が閉鎖されていく。羽根３１、３２、３３、３４、３５が完全に開き、開口７が完全に閉鎖されると、第２シャッター幕駆動モーター５１が停止する。このとき、シャッター装置１は下待機状態となる。
【００４３】
次いで、ミラー制御モーターが起動して正回転し、ミラーが上から下へ移動する。また、これと同時に図示しない巻上スイッチがＯＮ状態となる。ミラーが下まで移動するとミラー制御モーターが停止すると共に、巻上スイッチがＯＦＦ状態となる。これにより、一連の撮影動作が終了する。
【００４４】
このように、シャッター装置１は、下待機状態からは、第２シャッター幕駆動モーター５１および第１シャッター幕駆動モーター４１をそれぞれ正転させることにより１回の露光を行うことができ、これにより上待機状態となる。そして、上待機状態からは、第１シャッター幕駆動モーター４１および第２シャッター幕駆動モーター５１をそれぞれ逆転させることにより１回の露光を行うことができ、これにより下待機状態となる。すなわち、シャッター装置１は、下待機状態からの露光作動と、上待機状態からの露光作動とを交互に繰り返し行うように作動する。
【００４５】
これにより、シャッター装置１は、従来のようなシャッターのチャージ機構が不要であり、構成の簡素化が図れる。また、チャージ（巻き上げ）の負荷がなくなるので、消費電力の低減にも寄与する。
【００４６】
さらに、撮影と撮影との間にシャッターのチャージ動作が不要であるので、連写速度の向上が図れる。
【００４７】
以上、本発明のフォーカルプレーンシャッター装置を図示の実施形態について説明したが、本発明は、これに限定されるものではなく、フォーカルプレーンシャッター装置を構成する各部は、同様の機能を発揮し得る任意の構成のものと置換することができる。また、任意の構成物が付加されていてもよい。
【図面の簡単な説明】
【００４８】
【図１】本発明のフォーカルプレーンシャッター装置の実施形態を示す斜視図である。
【図２】図１に示すフォーカルプレーンシャッター装置の正面図（第１シャッター幕がシャッター台板の開口を閉鎖し、第２シャッター幕が開口を開放した状態）である。
【図３】図１に示すフォーカルプレーンシャッター装置の正面図（第１シャッター幕および第２シャッター幕が共に開口をシャッター台板の開放した状態）である。
【図４】図１に示すフォーカルプレーンシャッター装置の正面図（第１シャッター幕がシャッター台板の開口を開放し、第２シャッター幕が開口を閉鎖した状態）である。
【図５】図１に示すフォーカルプレーンシャッター装置のブロック図である。
【図６】図１に示すフォーカルプレーンシャッター装置の通常撮影時のタイムシーケンス図である。
【符号の説明】
【００４９】
１            フォーカルプレーンシャッター装置
２            第１シャッター幕
３            第２シャッター幕
４            第１シャッター幕駆動手段
５            第２シャッター幕駆動手段
６            シャッター台板
７            開口
８            制御部
２１、２２、２３、２４、２５  羽根
２１ａ、２１ｂ、２２ａ、２２ｂ、２３ａ、２３ｂ、２４ａ、２４ｂ、２５ａ、２５ｂ、２６ａ、２７ａ  ピン
２６          第１シャッター幕作動レバー
２６ｂ        係合ピン
２６ｃ        長穴
２７          平行リンクレバー
３１、３２、３３、３４、３５  羽根
３１ａ、３１ｂ、３２ａ、３２ｂ、３３ａ、３３ｂ、３４ａ、３４ｂ、３５ａ、３５ｂ、３６ａ、３７ａ  ピン
３６          第１シャッター幕作動レバー
３６ｂ        係合ピン
３６ｃ        長穴
３７          平行リンクレバー
４１          第１シャッター幕駆動モーター
４２          ピニオンギア
４３          アイドルギア
５１          第２シャッター幕駆動モーター
５２          ピニオンギア
５３          アイドルギア
６１          モーター台板
６２          シャッターカバー
６３          シャッターカバー 
【図１】
2006153988.tif 000003
【図２】
2006153988.tif 000004
【図３】
2006153988.tif 000005
【図４】
2006153988.tif 000006
【図５】
2006153988.tif 000007
【図６】
2006153988.tif 000008